(57)【特許請求の範囲】
【請求項１】
眼鏡使用者が全面形面体を装着した際に、眼鏡の蔓によって面体と顔面との間に形成される隙間を埋めるためのシールピースであって、眼鏡の蔓が挿通される柔軟素材で形成された偏平な本体を備え、本体に形成された蔓挿通穴の一端部が他の部位に比べて小径に形成されており、蔓挿通穴に眼鏡の蔓が挿通されると、前記小径の一端部が弾性変形して拡径し、眼鏡の蔓に密着することを特徴とするシールピース。
【請求項２】
蔓挿通穴の小径の一端部周囲の本体の肉厚が、周方向に均一化されていることを特徴とする請求項１に記載のシールピース。
【発明の詳細な説明】
【技術分野】
【０００１】
本発明は、眼鏡使用者が全面形面体を装着した際に、眼鏡の蔓によって面体と顔面との間に形成される隙間を埋めるためのシールピースに関するものである。
【背景技術】
【０００２】
眼鏡使用者が全面形面体を装着した際に、眼鏡の蔓によって面体と顔面との間に形成される隙間を埋めるためのシールピースであって、眼鏡の蔓が挿通される柔軟素材で形成された偏平な本体と、本体と一体形成されて本体から突出し、本体を貫通した眼鏡のツルを収容する突出部とを備えるシールピースが特許文献１に開示されている。特許文献１のシールピースにおいては、本体及び突出部に形成された蔓挿通穴を全面形面体の外部環境に暴露させないことにより、蔓挿通穴を介する外部環境と面体内部空間との連通を防止している。
【先行技術文献】
【特許文献】
【０００３】
【特許文献１】特開平８−１２６７１３
【発明の概要】
【発明が解決しようとする課題】
【０００４】
特許文献１のシールピースには、本体と突出部とを備えるので、構造が複雑で製造コストが高く、また使用時に眼鏡の蔓を本体に挿通し且つ突出部に挿通する必要があるので、使い勝手が悪いという問題がある。
本発明は、上記問題に鑑みてなされたものであり、眼鏡使用者が全面形面体を装着した際に、眼鏡の蔓によって面体と顔面との間に形成される隙間を埋めるためのシールピースであって、従来技術に比べて製造コストが低く、使い勝手が良いシールピースを提供することを目的とする。
【課題を解決するための手段】
【０００５】
上記課題を解決するために、本発明においては、眼鏡使用者が全面形面体を装着した際に、眼鏡の蔓によって面体と顔面との間に形成される隙間を埋めるためのシールピースであって、眼鏡の蔓が挿通される柔軟素材で形成された偏平な本体を備え、本体に形成された蔓挿通穴の一端部が他の部位に比べて小径に形成されており、蔓挿通穴に眼鏡の蔓が挿通されると、前記小径の一端部が弾性変形して拡径し、眼鏡の蔓に密着することを特徴とするシールピースを提供する。
本発明に係るシールピースにおいては、柔軟素材で形成された偏平な本体が眼鏡の蔓によって面体と顔面との間に形成される隙間を埋め、前記隙間を介する外部環境と面体内部空間との連通を防止する。蔓挿通穴に眼鏡の蔓が挿通されると、挿通穴の小径の一端部が弾性変形し、拡径して眼鏡の蔓に密着し、蔓挿通穴を介する外部環境と面体内部空間との連通を防止する。
本発明に係るシールピースは、眼鏡の蔓が挿通される柔軟素材で形成された偏平な本体のみから構成されているので、本体に加えて本体から突出し本体を貫通した眼鏡のツルを収容する突出部を備える従来のシールピースに比べて構成が簡素であり、製造コストが低い。また使用時には単に眼鏡の蔓を本体に挿通すれば良いので、蔓を突出部にも挿通する必要がある従来のシールピースに比べて使い勝手が良い。
本発明の好ましい態様においては、蔓挿通穴の小径の一端部周囲の本体の肉厚が、周方向に均一化されている。
蔓挿通穴の小径の一端部周囲の本体の肉厚が、周方向に均一化されていれば、蔓が挿通されると前記一端部周囲の本体が周方向に均一に伸びる。この結果、蔓と挿通穴小径部との密着の度合いが周方向に均一化され、蔓挿通穴を介する外部環境と面体内部空間との連通が効果的に防止される。
【図面の簡単な説明】
【０００６】
【図１】本発明の実施例に係るシールピースの構造図である。（ａ）は側面図であり、（ｂ）は（ａ）のｂ−ｂ矢視図であり、（ｃ）は（ａ）のｃ−ｃ矢視図であり、（ｄ）は（ａ）のｄ−ｄ矢視図である。
【図２】シールピースの使用状態を示す、蔓にシールピースが装着された眼鏡と全面形面体とを装着した人の頭部の側面図である。
【図３】眼鏡の蔓に装着されたシールピースの側断面図である。
【発明を実施するための形態】
【０００７】
本発明の実施例に係るシールピースを説明する。
図１に示すように、眼鏡使用者が全面形面体を装着した際に、眼鏡の蔓によって面体と顔面との間に形成される隙間を埋めるためのシールピースであって、本発明の実施例に係るシールピース１は、側面形状が略正方形で一辺中央部が山形に突出し、縦断面形状が凸レンズ形状の、シリコーンゴム、ポリウレタン樹脂等の柔軟素材で形成された、偏平な本体２を備えている。
本体２の最大肉厚部の肉厚中心を通って、中央部が山形に突出する前記一辺に直交し互いに対向する二辺間で直線状に延在し、一端部が前記山形の突出部を通る、直線状の貫通穴が本体２に形成されている。前記貫通穴は眼鏡の蔓が挿通される蔓挿通穴３を形成している。蔓挿通穴３の前記一端部３ａは他の部位３ｂに比べて小径に形成されている。蔓挿通穴３の前記一端部３ａは四隅がＲ加工された長方形断面を有している。蔓挿通穴３の前記他の部位３ｂは長円形断面を有している。前記長方形と長円形の短径は同一値に設定されているが、長方形の長径は長円形の長径よりも小さな値に設定されている。小径の一端部３ａ周囲の本体３の肉厚は、周方向に均一化されている。
【０００８】
図２に示すように、眼鏡使用者が全面形面体４を装着する際、蔓挿通穴３に眼鏡５の蔓６を挿通して、蔓６にシールピース１を予め装着しておき、その後に、面体４を装着する。蔓６にシールピース１を装着する際は、蔓挿通穴３の他の部位３ｂ側から小径の一端部３ａ側へ向けて蔓６を蔓挿通穴３に挿入する。
眼鏡５の蔓６によって面体４と顔面との間に形成される隙間を、シールピース１が埋め、前記隙間を介する外部環境と面体内部空間との連通を防止する。蔓挿通穴３に眼鏡５の蔓６が挿通されると、図３に示すように、蔓挿通穴３の小径の一端部３ａが弾性変形し、拡径して眼鏡の蔓６に密着し、蔓挿通穴３を介する外部環境と面体内部空間との連通を防止する。
シールピース１は、眼鏡の蔓６が挿通される柔軟素材で形成された偏平な本体２のみから構成されているので、本体に加えて本体から突出し本体を貫通した眼鏡のツルを収容する突出部を備える従来のシールピースに比べて構成が簡素であり、製造コストが低い。また使用時には単に眼鏡の蔓６を本体２に挿通すれば良いので、蔓を突出部にも挿通する必要がある従来のシールピースに比べて使い勝手が良い。
【０００９】
蔓挿通穴３の一端部３ａを除く他の部位３ｂは前記一端部３ａに比べて大径なので、眼鏡の蔓６を蔓挿通穴３の他の部位３ｂ側から小径の一端部３ａ側へ向けて蔓挿通穴３に挿入する際の自由度が大きく、シールピース１の使い勝手を向上させている。
小径の一端部３ａ周囲の本体３の肉厚は、周方向に均一化されているので、蔓６が挿通されると周方向に均一に伸びる。この結果、蔓６と小径の一端部３ａとの密着の度合いが周方向に均一化され、蔓挿通穴３を介する外部環境と面体内部空間との連通が効果的に防止される。
眼鏡の蔓６の断面形状は長方形断面が一般的なので、蔓挿通穴の小径の一端部３ａの断面形状を長方形断面とすることにより、蔓６と小径の一端部３ａとの密着の度合を向上させ、蔓挿通穴３を介する外部環境と面体内部空間との連通を効果的に防止している。
蔓挿通穴３の断面形状は長方形に限定されない。円形断面の蔓に対応すべく円形断面としても良い。
蔓挿通穴の小径の一端部３ａの寸法を、市販されている眼鏡の蔓６の平均的な断面寸法に合わせておけば、前記断面寸法のある程度の変動に対応することができる。
【産業上の利用可能性】
【００１０】
本発明は、眼鏡使用者が全面形面体を装着した際に、眼鏡の蔓によって面体と顔面との間に形成される隙間を埋めるためのシールピースに広く利用可能である。
【符号の説明】
【００１１】
１  シールピース
２  本体
３  蔓挿通穴
３ａ  小径の一端部
３ｂ  他の部位
４  全面形面体
５  眼鏡
６  蔓
【図１】
0006284191.tif 000002
【図２】
0006284191.tif 000003
【図３】
0006284191.tif 000004